(57)【要約】【課題】  ヨロイ３とテンプル４の合口部分５，９を任意の形状に選択することができ、しかも成形と同時にヨロイ３とテンプル４を回動可能に接合することができる眼鏡フレームのヨロイとテンプルの接合成形方法及び接合成形装置を提供する。【解決手段】  一次金型１１により、任意の形状を有する合口部分５と、該合口部分５に隣設した接合部６にヒンジピン７を設けた樹脂製ヨロイ３を成形する一次成形工程と、二次金型２１に、前記一次成形工程で成形された樹脂製ヨロイ３を嵌め込んで保持固定し、二次金型２１に注入した樹脂材料により樹脂製テンプル４を成形すると同時に、該テンプル４の先端部８に合口部分５に合致する合口部分９が形成され、さらにヒンジピン７を被覆して、テンプル４がヨロイ３に回動可能に接合される二次成形工程とを含む。【選択図】      図１
2005128124.tif 000002
【特許請求の範囲】
【請求項１】
一次金型により、任意の形状を有する合口部分と、該合口部分に隣設した接合部にヒンジピンを設けた樹脂製ヨロイを成形する一次成形工程と、
二次金型に、前記一次成形工程で成形された前記樹脂製ヨロイを嵌め込んで保持固定し、前記二次金型に注入した樹脂材料により樹脂製テンプルを成形すると同時に、該テンプルの先端部に前記合口部分に合致する合口部分が形成され、さらに前記ヒンジピンを被覆して、テンプルが前記ヨロイに回動可能に接合される二次成形工程とを含むことを特徴とする眼鏡レームのヨロイとテンプルの接合成形方法。
【請求項２】
一次金型により、任意の形状を有する合口部分と、該合口部分に隣設隣設した接合部にヒンジピンを設けた樹脂製テンプルを成形する一次成形工程と、
二次金型に前記一次成形工程で成形された前記樹脂製テンプルを嵌め込んで保持固定し、前記二次金型に注入した樹脂材料により樹脂製ヨロイを成形すると同時に該ヨロイの端部に前記合口部分に合致する合口部分が形成され、さらに前記ヒンジピンを被覆して、前記テンプルが前記ヨロイに回動可能に接合される二次成形工程とを含む眼鏡フレームのヨロイとテンプルの接合成形方法。
【請求項３】
任意の形状を有する合口部分と該合口部分に隣設した接合部にヒンジピンを設けた樹脂製ヨロイ又はテンプルを成形する一次金型と、
前記一次金型で成形された前記樹脂製ヨロイ又はテンプルを嵌め込んで保持固定し、注入した樹脂材料により樹脂製テンプル又はヨロイを成形すると同時に、該テンプル又はヨロイの端部に前記合口部分に合致する合口部分が形成され、さらに前記ヒンジピンを被覆して、前記テンプルが前記ヨロイに回動可能に接合されるように成形する二次金型とを備えていることを特徴とする眼鏡フレームのヨロイとテンプルの接合成形装置。
【請求項４】
前記ヒンジピンが、前記ヨロイ又はテンプルと一体成形される請求項１又は２記載の眼鏡フレームのヨロイとテンプルの接合成形方法。
【請求項５】
前記ヒンジピンが金属製で、前記ヨロイ又はテンプルにインサート成形される請求項１又は２記載の眼鏡フレームのヨロイとテンプルの接合成形方法。
【発明の詳細な説明】
【技術分野】
【０００１】
本発明は、眼鏡フレームの樹脂製ヨロイと樹脂製テンプルの合口部分を任意の形状にできる眼鏡フレームのヨロイとテンプルの接合成形方法及び接合成形装置に関するものである。
【背景技術】
【０００２】
従来の樹脂製眼鏡フレームはヨロイを含む枠側とテンプル側を別々に成形し、それらをヒンジ（丁番）を介して回動可能に連結していた。このため、ヨロイとテンプルの合口部分の形状が直線に近いものに限定され、デザイン上の制約が大きいという問題があった。
【発明の開示】
【発明が解決しようとする課題】
【０００３】
本発明は、上記従来の問題点を解決することを技術的課題とし、ヨロイとテンプルの合口部分を任意の形状に選択することができ、しかも成形と同時にヨロイとテンプルを回動可能に接合することができる眼鏡フレームのヨロイとテンプルの接合成形方法及び接合成形装置を提供することを目的とする。
【課題を解決するための手段】
【０００４】
上記目的を達成するために、本発明は、一次金型により、任意の形状を有する合口部分と、該合口部分に隣設した接合部にヒンジピンを設けた樹脂製ヨロイを成形する一次成形工程と、二次金型に、前記一次成形工程で成形された前記樹脂製ヨロイを嵌め込んで保持固定し、前記二次金型に注入した樹脂材料により樹脂製テンプルを成形すると同時に、該テンプルの先端部に前記合口部分に合致する合口部分が形成され、さらに前記ヒンジピンを被覆して、テンプルが前記ヨロイに回動可能に接合される二次成形工程とを含むことを特徴とする眼鏡レームのヨロイとテンプルの接合成形方法である。
【０００５】
上記の接合成形方法は、前記一次成形工程においてテンプルを成形し、前記二次成形工程においてヨロイを成形するようにしてもよい。
【０００６】
本発明による接合成形装置は、任意の形状を有する合口部分と該合口部分に隣設した接合部にヒンジピンを設けた樹脂製ヨロイ又はテンプルを成形する一次金型と、前記一次金型で成形された前記樹脂製ヨロイ又はテンプルを嵌め込んで保持固定し、注入した樹脂材料により樹脂製テンプル又はヨロイを成形すると同時に、該テンプル又はヨロイの端部に前記合口部分に合致する合口部分が形成され、さらに前記ヒンジピンを被覆して、前記テンプルが前記ヨロイに回動可能に接合されるように成形する二次金型とを備えていることを特徴とする。
【０００７】
前記ヒンジピンは、前記ヨロイ又はテンプルと一体に成形することが好ましいが、金属製ピンを前記ヨロイ又はテンプルの成形時にインサート成形することも可能である。
【発明の効果】
【０００８】
以上説明したように、本発明によれば、ヨロイとテンプルの合口部分を任意の形状に選択することが可能で、デザインの多様化が図れる。また、成形と同時に構成されるヒンジ機構部が成形樹脂により被覆されるので、ヒンジ機構部が外部から見えない眼鏡フレームを製作できる。
【発明を実施するための最良の形態】
【０００９】
以下、本発明の好適な実施の形態を図面に基づいて説明する。図１は、本発明により接合成形したヨロイ３とテンプル４を用いて製作した眼鏡フレーム１を示している。２はレンズ枠である。
【００１０】
図２は、ヨロイ３を成形する一次金型１１を示しており、雌金型１１Ａと雄金型１１Ｂとで構成され、雌金型１１Ａに成形凹部１２が加工されている。該一次金型１１は図示しない射出成形機にセットして使用され、成形凹部１２に樹脂材料、例えば溶融したナイロンポリアミド樹脂材料を加圧注入して、図３に示すように、合口部分５に突設した接合部６にヒンジピン７を設けた樹脂製ヨロイ３が成形される。合口部分５は湾曲面に形成されているが、任意の形状を採用することが可能である。例えば、図８（ａ）に示すように、湾曲面と突曲面を組み合わせた合口部分５Ａ、あるいは図８（ｂ）のように波形曲面の合口部分５Ｂとすることも可能であり、また、図示しないけれども円弧状その他任意の形状とすることができる。また、合口部分５はテンプル４の折り曲げに支障を来たすことがないように内側に傾斜した傾斜面に形成されている。ヒンジピン７は接合部６と一体成形した樹脂製とするか、金属製ピンを接合部６にインサート成形する。
【００１１】
図４は、二次金型２１を示しており、雌金型２１Ａと雄金型２１Ｂとで構成され、雌金型２１Ａにヨロイ３とテンプル４とを合わせた全体形状の成形凹部２２が加圧されている。まず、成形凹部２２のヨロイ収容部２３に一次金型１１により成形した樹脂製ヨロイ３を図５に示すように嵌め込んで固定する。その際、樹脂製ヨロイ３全体又は少なくとも合口部分５、接合部６及びヒンジピン７に離型材、例えばフッ素系離型材を塗布してから成形凹部２２のヨロイ収容部２３に嵌め込む。次に、図５に示す成形凹部２２のテンプル成形部２４に樹脂材料、例えば溶融したナイロン又はポリアミド樹脂材料を加圧を注入する。この樹脂材料はヨロイ３の樹脂材料と同一であってもよいし、異なる材料であってもよい。テンプル成形部２４に注入した樹脂材料により、図６及び図７に示すように、テンプル４が成形されると同時に、テンプル４の先端部８にヨロイ３の合口部分５に合致する合口部分９が形成され、さらに接合部６とヒンジピン７がテンプル４の端部８を成形する樹脂材料により被覆され、ヒンジピン７がテンプル４に埋め込まれて外部から見えない形態にヨロイ３とテンプル４との接合体が成形される。このように接合成形されたヨロイ３とテンプル４は、ヒンジピン７、接合部６及び合口部分５に離型材が塗布されているので、テンプル４がヨロイ３にくっつくことはない。また、ヨロイ３の合口部分５が内側に傾斜しているので、テンプル４はヨロイ３に対してヒンジピン７を支点に内側へのみ回動可能である。したがって、このヨロイ３とテンプル４の接合体を用いて製作した眼鏡フレーム１（図１参照）は、着用時においては、テンプル４がヨロイ３に対して外側へ回動しないけれども、ヨロイ３に対してテンプル４を内側に回動させて折りたたむことができる。
【００１２】
図９及び図１０は、本発明による別の実施形態を示しており、この実施形態では、一次金型（図示せず）によって、図９に示すように、テンプル４とその先端部８に合口部分９、接合部６及びヒンジピン７を成形し、二次金型（図示せず）によって、図１０に示すように、接合部６及びヒンジピンク付きテンプル４とヨロイ３とを接合成形したものである。この場合も、ヨロイ３の合口部分５とテンプル４の合口部分９は曲面、波形など任意の形状を採用することが可能である。また、合口部分５と合口部分９との接触面はテンプル４の折りたたみに支障を来さないように、内側に傾斜した傾斜面とすることは、前述した実施形態と同様である。
【産業上の利用可能性】
【００１３】
ヨロイとテンプルとの合口部分を種々の形状とすることを可能とした樹脂製眼鏡フレームが容易かつ、安価に製作できる。
【図面の簡単な説明】
【００１４】
【図１】本発明により接合成形したヨロイとテンプルを用いて製作した眼鏡フレームの側面図である。
【図２】同上ヨロイを成形する一次金型の斜視図である。
【図３】同上一次金型により成形されたヨロイの斜視図である。
【図４】同上ヨロイとテンプルを接合成形する二次金型の斜視図である。
【図５】同上二次金型の雌金型に一次成形したヨロイを嵌め合わせた状態を示す斜視図である。
【図６】同上二次金型により接合成形されたヨロイとテンプルの接合体の平面図である。
【図７】同上二次金型により接合成形されたヨロイとテンプルの接合体の側面図である。
【図８】一次金型により成形されたヨロイの変形例（ａ）、（ｂ）を示す斜視図である。
【図９】本発明による別の実施形態を示しており、一次金型により成形されたテンプルの平面図（ａ）と側面図（ｂ）である。
【図１０】同上二次金型により成形されたヨロイと一時成形されたテンプルとの接合成形部分を示す平面図（ａ）と側面図（ｂ）である。
【符号の説明】
【００１５】
１  眼鏡フレーム
２  レンズ枠
３  ヨロイ
４  テンプル
５  ヨロイの合口部分
６  接合部
７  ヒンジピン
８  テンプルの先端部
９  テンプルの合口部分
１１  一次金型
１２  成形凹部
２１  二次金型
２２  成形凹部
２３  ヨロイ収容部
２４  テンプル成形部
【図１】
2005128124.tif 000003
【図２】
2005128124.tif 000004
【図３】
2005128124.tif 000005
【図４】
2005128124.tif 000006
【図５】
2005128124.tif 000007
【図６】
2005128124.tif 000008
【図７】
2005128124.tif 000009
【図８】
2005128124.tif 000010
【図９】
2005128124.tif 000011
【図１０】
2005128124.tif 000012